(57)【要約】【課題】光の拡散性を高め、また、光を透過させる部分の擦れを防止し、さらには、光の漏れも防止することが可能な照明ユニットの組み付け構造を提供する。【解決手段】組み付け対象部材となる車体２２に対し照明ユニット２１の照明ユニット本体２３を組み付けると、車体２２のスリット４２の開口面に照明ユニット本体２３のハウジング発光部２８及びハウジング遮光部２９の各外面が略面一に露出する。ハウジング発光部２８は、この周囲にハウジング遮光部２９を有し、これらがスリット４２の開口面に略面一な状態にあり、さらには比較的広くスリット４２から露出することから、ＬＥＤ２５からの光３２の拡散方向に段差部分が存在しない構造になる。【選択図】図２
2012250622.tif 000002
【特許請求の範囲】
【請求項１】
照明ユニットを組み付け対象部材に対し組み付ける構造であって、
前記照明ユニットは、回路基板と、該回路基板に実装される発光部品と、該発光部品を実装した前記回路基板を収容するハウジングと、該ハウジングに形成され且つ前記発光部品からの光を透過するハウジング発光部と、前記ハウジングに形成され且つ前記ハウジング発光部の周囲で前記光の透過を阻止するハウジング遮光部とを含み、
前記組み付け対象部材は、前記ハウジング発光部の外面及び前記ハウジング遮光部の外面に対し略面一な開口面を形成してなるスリットを有する
ことを特徴とする照明ユニットの組み付け構造。
【請求項２】
請求項１に記載の照明ユニットの組み付け構造において、
前記ハウジングは、前記ハウジング遮光部の前記外面を凹ませて形成される凹部を有し、該凹部には、前記開口面に略面一な前記組み付け対象部材のスリット外縁部を係合させる
ことを特徴とする照明ユニットの組み付け構造。
【請求項３】
請求項２に記載の照明ユニットの組み付け構造において、
前記組み付け対象部材は、前記スリット外縁部に前記開口面よりも突出する凸状の衝突防止部を有する
ことを特徴とする照明ユニットの組み付け構造。
【請求項４】
請求項１ないし請求項３いずれか記載の照明ユニットの組み付け構造において、
前記照明ユニットは、前記回路基板に実装される第二発光部品を更に有し、
前記ハウジングは、前記第二発光部品からの第二の光を透過する第二ハウジング発光部を更に有し、
前記発光部品及び前記第二発光部品を実装した前記回路基板は、前記発光部品からの前記光が前記第二発光部品からの前記第二の光に混じらない位置で前記ハウジングに収容される
ことを特徴とする照明ユニットの組み付け構造。
【発明の詳細な説明】
【技術分野】
【０００１】
本発明は、照明ユニットを組み付け対象部材に対し組み付ける構造、すなわち照明ユニットの組み付け構造に関する。
【背景技術】
【０００２】
照明対象部材等を照らす照明ユニットは、様々な箇所に設けられている。例えば、電気自動車やハイブリッド自動車において、バッテリーへの充電を行う充電コネクタの近傍には、照明ユニットが設けられている。充電コネクタは、給電側コネクタ及び受電側コネクタ（車両側インレット）から構成されている。照明ユニットは、受電側コネクタの近傍に設けられている。
【０００３】
下記特許文献１には充電コネクタに関する技術が開示されている。この開示技術によれば、受電側コネクタは、車両における受電側収容室に設けられている。受電側収容室には、受電側コネクタの他に発光部品（ランプ）も設けられている。発光部品は、照明ユニットを構成する一部品であって、受電側収容室の開閉蓋を開閉する際に点灯又は消灯するようになっている。発光部品は、夜間での給電側コネクタ及び受電側コネクタの結合・離脱作業をし易くするために設けられている。発光部品は、むき出しの状態で、且つ突出した状態で受電側収容室に設けられている。
【先行技術文献】
【特許文献】
【０００４】
【特許文献１】特開平６−３２５８３４号公報
【発明の概要】
【発明が解決しようとする課題】
【０００５】
ところで、発光部品がむき出しの状態であると、上記結合・離脱作業の際に給電側コネクタがぶつかることもあることから、破損が生じる虞があるという問題点を有している。そこで、発光部品をハウジングで覆うという対策が考えられる。以下、発光部品をハウジングで覆った場合の構造（発明者が上記対策案として検討したものである）や問題点について説明をする。
【０００６】
図５において、照明ユニット１は、回路基板２を有している。この回路基板２には、発光部品としてＬＥＤ３、４が実装されている。ＬＥＤ３、４を実装した回路基板２は、ハウジング５に収容されている。すなわち、ＬＥＤ３、４及び回路基板２は、ハウジング５により覆われている。ハウジング５は、透明であって、全体が光透過性を有するように形成されている。ハウジング５は、デザインカバー６にて覆われている。
【０００７】
ハウジング５とデザインカバー６は、係止突起７及び係止凹部８の引っ掛かり合いにより係止されている。デザインカバー６には、ハウジング５を透過したＬＥＤ３の光９を通過させる開口部１０が形成されている。また、デザインカバー６には、ハウジング５を透過したＬＥＤ４の光１１を通過させる開口部１２も形成されている。ＬＥＤ３は、図示しない受電側コネクタを照らすために設けられている。また、ＬＥＤ４は、インジケータ１３を発光させるために設けられている。
【０００８】
図５の構成及び構造にあっては、ハウジング５におけるＬＥＤ３の光９を透過させる部分や、デザインカバー６の開口部１０が比較的小さな部分になることから、矢印Ｘで示す段差が大きくなると、光９の拡散性が悪くなってしまうという問題点を有している。
【０００９】
また、図５の構成及び構造にあっては、ハウジング５におけるＬＥＤ３の光９を透過させる部分が比較的小さな部分になることから、ハウジング５をデザインカバー６にて覆う際に、上記透過させる部分がデザインカバー６の開口部１０に到達するまでの間に擦れてしまう虞があり、結果、光９の透過性に影響を来してしまうという問題点を有している。
【００１０】
さらに、図５の構成及び構造にあっては、透明なハウジング５をデザインカバー６にて覆うことから、ＬＥＤ３の光９がハウジング５の内面等に反射すると、この反射光が開口部１２から漏れてしまうという問題点を有している（漏れの光を引用符号１４で示す）。
【００１１】
本発明は、上記した事情に鑑みてなされたもので、光の拡散性を高め、また、光を透過させる部分の擦れを防止し、さらには、光の漏れも防止することが可能な照明ユニットの組み付け構造を提供することを課題とする。
【課題を解決するための手段】
【００１２】
上記課題を解決するためになされた請求項１記載の本発明の照明ユニットの組み付け構造は、照明ユニットを組み付け対象部材に対し組み付ける構造であって、前記照明ユニットは、回路基板と、該回路基板に実装される発光部品と、該発光部品を実装した前記回路基板を収容するハウジングと、該ハウジングに形成され且つ前記発光部品からの光を透過するハウジング発光部と、前記ハウジングに形成され且つ前記ハウジング発光部の周囲で前記光の透過を阻止するハウジング遮光部とを含み、前記組み付け対象部材は、前記ハウジング発光部の外面及び前記ハウジング遮光部の外面に対し略面一な開口面を形成してなるスリットを有することを特徴とする。
【００１３】
このような特徴を有する本発明によれば、組み付け対象部材に対し照明ユニットを組み付けると、組み付け対象部材のスリットの開口面に照明ユニットのハウジング発光部及びハウジング遮光部の各外面が略面一に露出する。ハウジング発光部は、この周囲にハウジング遮光部を有し、これらが開口面に略面一な状態にあり、さらには比較的広くスリットから露出することから、光の拡散方向に段差部分が存在しない構造になる。また、本発明によれば、組み付け対象部材のスリットは、照明ユニットのハウジング発光部及びハウジング遮光部の各外面を露出させる大きな開口であることから、組み付け対象部材に対し照明ユニットを組み付ける際に、ハウジング発光部の擦れは防止される。さらに、本発明によれば、ハウジング発光部の周囲にハウジング遮光部を有する構造のハウジングであることから、光の漏れはハウジング遮光部により防止される。
【００１４】
請求項２記載の本発明の照明ユニットの組み付け構造は、請求項１に記載の照明ユニットの組み付け構造に係り、前記ハウジングは、前記ハウジング遮光部の前記外面を凹ませて形成される凹部を有し、該凹部には、前記開口面に略面一な前記組み付け対象部材のスリット外縁部を係合させることを特徴とする。
【００１５】
このような特徴を有する本発明によれば、スリット外縁部をハウジングの凹部に係合させることにより、光の拡散方向に段差部分が存在しない構造になる。
【００１６】
請求項３記載の本発明の照明ユニットの組み付け構造は、請求項２に記載の照明ユニットの組み付け構造に係り、前記組み付け対象部材は、前記スリット外縁部に前記開口面よりも突出する凸状の衝突防止部を有することを特徴とする。
【００１７】
このような特徴を有する本発明によれば、スリット外縁部に衝突防止部を有することから、ハウジング発光部への物理的衝突は防止される。
【００１８】
請求項４記載の本発明の照明ユニットの組み付け構造は、請求項１ないし請求項３いずれか記載の照明ユニットの組み付け構造に係り、前記照明ユニットは、前記回路基板に実装される第二発光部品を更に有し、前記ハウジングは、前記第二発光部品からの第二の光を透過する第二ハウジング発光部を更に有し、前記発光部品及び前記第二発光部品を実装した前記回路基板は、前記発光部品からの前記光が前記第二発光部品からの前記第二の光に混じらない位置で前記ハウジングに収容されることを特徴とする。
【００１９】
このような特徴を有する本発明によれば、ハウジング遮光部を有することの他に、回路基板の収容位置を配慮することで、光の漏れはより確実に防止される。
【発明の効果】
【００２０】
請求項１に記載された本発明によれば、光の拡散性を高め、また、光を透過させる部分の擦れを防止し、さらには、光の漏れも防止することができるという効果を奏する。
【００２１】
請求項２に記載された本発明によれば、光の拡散性を更に高めることに関し有効な構造を提供することができるという効果を奏する。
【００２２】
請求項３に記載された本発明によれば、上記効果の他に、光を透過させる部分の保護を図ることができるという効果を奏する。
【００２３】
請求項４に記載された本発明によれば、第二ハウジング発光部からの光の漏れを防止することができるという効果を奏する。
【図面の簡単な説明】
【００２４】
【図１】本発明の照明ユニットの組み付け構造に係る組み付け状態の斜視図である（実施例１）。
【図２】図１の断面図である。
【図３】本発明の照明ユニットの組み付け構造に係る組み付け状態の斜視図である（実施例２）。
【図４】図３の断面図である。
【図５】発光部品をハウジングで覆った場合の構造に係る断面図である。
【発明を実施するための形態】
【００２５】
本発明の照明ユニットの組み付け構造は、組み付け対象部材に対し照明ユニットを組み付けると、組み付け対象部材のスリットの開口面に照明ユニットのハウジング発光部及びハウジング遮光部の各外面が略面一に露出する構造、また、比較的広く露出する構造である。
【実施例１】
【００２６】
以下、図面を参照しながら実施例１を説明する。図１は本発明の照明ユニットの組み付け構造に係る組み付け状態の斜視図である。また、図２は図１の断面図である。
【００２７】
以下の説明において、具体的な形状、材料、数値、方向等は、本発明の理解を容易にするための例示であって、用途、目的、仕様等に合わせて適宜変更することができるものとする。また、以下の説明では、電気自動車やハイブリッド自動車の充電コネクタを照明対象の例に挙げて説明するが、照明対象部材は充電コネクタに限定されないものとする。尚、以下の説明で、「照明ユニット」を「ランプユニット」と読み替えてもよいものとする。
【００２８】
図１及び図２において、引用符号２１は照明ユニットを示している。照明ユニット２１は、車体２２に組み付けられている。車体２２は、照明ユニット２１の組み付け対象部材となっている。照明ユニット２１は、照明ユニット本体２３と、この照明ユニット本体２３に電力等を供給する図示しない電気的接続手段とを含んで構成されている。
【００２９】
図示しない電気的接続手段は、複数本の電線や、電線の端末に設けられるコネクタ、更には、クリップ等の固定部材等を備えて構成されている（一例であるものとする）。照明ユニット本体２３は、図示しない充電コネクタを照らしたり、後述するインジケータ３０を発光させたりすることができるように構成されている。
【００３０】
照明ユニット本体２３は、回路基板２４と、発光部品としてのＬＥＤ２５、２６と、ハウジング２７とを含んで構成されている。回路基板２４は、所望の回路パターンを有している。この回路基板２４の一端側には、ＬＥＤ２５、２６が実装されている。ＬＥＤ２５、２６は、公知のものが用いられている。ＬＥＤ２５は、回路基板２４の一方の面において、図示しない充電コネクタを照明することができる位置に実装されている。また、ＬＥＤ２６は、回路基板２４の他方の面において、後述するインジケータ３０を照らすことができる位置に実装されている。ＬＥＤ２５、２６は、本発明に係る発光部品、第二発光部品であり、これ以外として公知のランプを用いてもよいものとする。
【００３１】
ハウジング２７は、ＬＥＤ２５、２６を実装した状態の回路基板２４を収容する樹脂部品であって、ハウジング発光部２８と、ハウジング遮光部２９と、インジケータ３０（第二ハウジング発光部）と、係止突起３１とを有している。
【００３２】
ハウジング発光部２８は、ＬＥＤ２５からの光３２を透過する透明な部分として形成されている。また、ハウジング遮光部２９は、ハウジング発光部２８の周囲に配置され、上記の光３２の透過を阻止することができる部分として形成されている。ハウジング発光部２８は、所定の直径を有する円形状に形成されている。インジケータ３０は、ＬＥＤ２６からの光３３を透過する透明な部分として形成されている。インジケータ３０は、例えば充電状態を発光により表示する部分として形成されている。
【００３３】
ハウジング２７において、引用符号３４は前壁、引用符号３５は後壁、引用符号３６、３７は左右の側壁、引用符号３８は天井壁を示している。前壁３４と天井壁３８との境界部分には、凹部３９が形成されている。凹部３９は、前壁３４及び天井壁３８における各ハウジング遮光部２９の外面を凹ませるように形成されている。凹部３９や、前壁３４におけるハウジング遮光部２９等は、車体２２の形状に合わせて形成されている。本実施例においては、曲面となる形状に形成されている。
【００３４】
ハウジング発光部２８及びハウジング遮光部２９は、特に限定するものでないが公知の２色成形にて形成されている。ハウジング遮光部２９は、本実施例において、ハウジング２７の大部分を占めるように形成されている。ハウジング遮光部２９は、例えば車体２２と同じ色に着色されている（色付けは一例であるものとする。同色にすれば見栄えがよいのは勿論である。尚、黒などの遮光性の高い色が好ましいものとする）。
【００３５】
ハウジング発光部２８は、ハウジング遮光部２９と共に前壁３４に配置形成されている。前壁３４におけるハウジング発光部２８及びハウジング遮光部２９は、これらの各外面が面一となるように形成されている。インジケータ３０は、ハウジング遮光部２９と共に天井壁３８に配置形成されている。
【００３６】
凹部３９は、この肉厚部分がＬＥＤ２５の発光面よりも回路基板２４側に位置するように凹状に形成されている。ハウジング２７は、上記境界部分に凹部３９を配置することから、凹部３９の肉厚部分が邪魔をして、ＬＥＤ２５からの光３２をインジケータ３０側に漏れないようにすることができるようになっている。尚、光３２をインジケータ３０側に漏れないようにするには、回路基板２４の配置やＬＥＤ２５、２６の実装位置も重要であるのは勿論である。
【００３７】
係止突起３１は、後壁３５に配置形成されている。係止突起３１は、照明ユニット本体２３を車体２２に組み付ける際の係止部分として形成されている。係止突起３１は、略爪状の形状に形成されている。係止突起３１は、テーパ面や係止面等を有している。係止突起３１は、車体２２の後述する係止凹部４９に引っ掛かり係止されるようになっている。
【００３８】
車体２２は、本実施例において充電コネクタの受電側コネクタを配設する部分、すなわち受電側収容室が該当するようになっている（一例でありこれに限らないものとする）。車体２２は、照明ユニット収容部４０を有して照明ユニット本体２３を組み付けることができるように形成されている。車体２２は、金属製及び樹脂製のいずれであってもよいものとする。
【００３９】
車体２２は、収容部前壁４１と、この収容部前壁４１を切り欠くように形成されるスリット４２と、収容部前壁４１から突出するように形成される衝突防止部４３と、収容部前壁４１に形成され且つスリット４２の外縁となるスリット外縁部４４と、収容部前壁４１に直交するように連続する収容部天井壁４５と、この収容部天井壁４５の内側に連成される組み付けガイド壁４６とを有している。照明ユニット収容部４０は、収容部前壁４１、スリット４２、スリット外縁部４４、収容部天井壁４５、及び組み付けガイド壁４６に囲まれる部分として形成されている。
【００４０】
収容部前壁４１及び衝突防止部４３は、車体２２のベース壁４７に連成されている。衝突防止部４３は、収容部前壁４１の他、スリット外縁部４４に対しても突出するように形成されている。衝突防止部４３は、スリット４２から露出する部分を保護することができるように形成されている。具体的には、ハウジング発光部２８への物理的な衝突を防止することができるように形成されている。衝突防止部４３は、スリット４２の後述する開口面よりも突出する凸状の部分として形成されている。
【００４１】
スリット４２は、照明ユニット本体２３を照明ユニット収容部４０に組み付けた時に、ハウジング発光部２８及びハウジング遮光部２９の各外面に対し略面一な開口面（符号省略）を有するように形成されている。スリット４２は、ハウジング発光部２８のみならずハウジング遮光部２９までも露出することができるように比較的広く開口形成されている。スリット４２は、ハウジング発光部２８に対し十分大きくなるように形成されている。具体的には、ハウジング発光部２８を透過する光３２の拡散方向に車体２２側の段差部分が存在しない大きな開口部分に形成されている。
【００４２】
スリット外縁部４４は、この外面がスリット４２の開口面に対し略面一な部分として形成されている。また、スリット外縁部４４は、この肉厚部分がハウジング２７の凹部３９に収容されるように形成されている。スリット外縁部４４は、照明ユニット本体２３を組み付けると、ハウジング２７の凹部３９に係合するようになっている。また、スリット４２の開口面から突出しない部分としても形成されている。
【００４３】
収容部天井壁４５には、ハウジング２７のインジケータ３０を露出させる貫通孔４８が形成されている。この貫通孔４８から露出するインジケータ３０は、外面（発光面、表示面）が収容部天井壁４５の外面と略面一になるように配置形成されている。
【００４４】
組み付けガイド壁４６は、照明ユニット本体２３を組み付ける際にガイドとなる部分として形成されている。このような組み付けガイド壁４６には、ハウジング２７の係止突起３１を引っ掛けて係止する係止凹部４９が形成されている。
【００４５】
上記構成及び構造において、本発明によれば、組み付け対象部材となる車体２２に対し照明ユニット２１の照明ユニット本体２３を組み付けると、車体２２のスリット４２の開口面に照明ユニット本体２３のハウジング発光部２８及びハウジング遮光部２９の各外面が略面一に露出する。ハウジング発光部２８は、この周囲にハウジング遮光部２９を有し、これらがスリット４２の開口面に略面一な状態にあり、さらには比較的広くスリット４２から露出することから、ＬＥＤ２５からの光３２の拡散方向に段差部分が存在しない構造になる。
【００４６】
また、本発明によれば、車体２２のスリット４２は、照明ユニット本体２３のハウジング発光部２８及びハウジング遮光部２９の各外面を露出させる大きな開口であることから、車体２２に対し照明ユニット本体２３を組み付ける際に、ハウジング発光部２８の擦れは防止される。
【００４７】
さらに、本発明によれば、ハウジング発光部２８の周囲にハウジング遮光部２９を有する構造のハウジング２７であることから、ＬＥＤ２５からの光３２の漏れはハウジング遮光部２９により防止される。
【００４８】
以上、本発明によれば、光の拡散性を高め、また、光を透過させる部分の擦れを防止し、さらには、光の漏れも防止することが可能な照明ユニット２１の組み付け構造を提供することができるという効果を奏する。
【実施例２】
【００４９】
以下、図面を参照しながら実施例２を説明する。図３は本発明の照明ユニットの組み付け構造に係る組み付け状態の斜視図である。また、図４は図３の断面図である。尚、上記実施例１と同一の構成部材には同一の符号を付して詳細な説明を省略する。
【００５０】
図３及び図４において、実施例２は上記実施例１に対し次の点が相違している。すなわち、組み付け対象部材となる車体２２に衝突防止部４３がない点のみで相違している。
【００５１】
車体２２の収容部前壁４１には、スリット４２及びスリット外縁部４４が形成されている。車体２２に対し照明ユニット本体２３を組み付けると、スリット４２からは、この開口面に略面一なハウジング発光部２８及びハウジング遮光部２９が露出するようになっている。
【００５２】
実施例２も実施例１と同様に、光の拡散性を高め、また、光を透過させる部分の擦れを防止し、さらには、光の漏れも防止することができるという効果を奏する。
【００５３】
この他、本発明は本発明の主旨を変えない範囲で種々変更実施可能なことは勿論である。
【符号の説明】
【００５４】
２１…照明ユニット
２２…車体（組み付け対象部材）
２３…照明ユニット本体
２４…回路基板
２５…ＬＥＤ（発光部品）
２６…ＬＥＤ（第二発光部品）
２７…ハウジング
２８…ハウジング発光部
２９…ハウジング遮光部
３０…インジケータ（第二ハウジング発光部）
３１…係止突起
３２…光
３３…光（第二の光）
３４…前壁
３５…後壁
３６、３７…側壁
３８…天井壁
３９…凹部
４０…照明ユニット収容部
４１…収容部前壁
４２…スリット
４３…衝突防止部
４４…スリット外縁部
４５…収容部天井壁
４６…組み付けガイド壁
４７…ベース壁
４８…貫通孔
４９…係止凹部
【図１】
2012250622.tif 000003
【図２】
2012250622.tif 000004
【図３】
2012250622.tif 000005
【図４】
2012250622.tif 000006
【図５】
2012250622.tif 000007